(57)【要約】【課題】  船舶の暴露甲板から一段高い位置に配置される居住区の階段については、極めて簡易な改修等によって、容易に船舶居住区への侵入防止を図ることができる船舶の居住区階段構造の提供をせんとする。【解決手段】  暴露甲板上に所定長の長さのピラーで支えられて所定の高さに配置され、内部に居住区各階に通行可能な内階段を有する居住区棟と、前記暴露甲板から前記居住区棟へ昇降可能な暴露階段と、当該暴露階段に連なり前記居住区棟への通行を確保する居住区デッキと、当該居住区デッキに裁置され、前記暴露階段上端に配置される回動軸を中心に回動することによって前記暴露階段を上から覆って当該暴露階段の塞ぐ階段カバーと、からなる。【選択図】図３
2018131117.tif 000002
【特許請求の範囲】
【請求項１】
暴露甲板上に所定長の長さのピラーで支えられて所定の高さに配置され、内部に居住区各階に通行可能な内階段を有する居住区棟と、
前記暴露甲板から前記居住区棟へ昇降可能な暴露階段と、
当該暴露階段に連なり前記居住区棟への通行を確保する居住区デッキと、
当該居住区デッキに裁置され、前記暴露階段上端に配置される回動軸を中心に回動することによって前記暴露階段を上から覆って当該暴露階段の塞ぐ階段カバーと、
からなることを特徴とする船舶の居住区階段構造。
【請求項２】
暴露甲板上に所定長の長さのピラーで支えられて所定の高さに配置され、内部に居住区各階に通行可能な内階段を有する居住区棟と、
前記暴露甲板から前記居住区棟へ昇降可能な暴露階段と、
一端が前記暴露階段の下端部に接合され、他端が電動機に巻き取り可能に構成される巻き取りワイヤーと、
前記電動機を制御する制御器と、
からなることを特徴とする船舶の居住区階段構造。
【発明の詳細な説明】
【技術分野】
【０００１】
本発明は、船舶の居住区への階段構造に関する。
【背景技術】
【０００２】
昨今の東南アジアやソマリア沖の海賊問題を考慮して、海賊対策が考慮されてきている。船舶における海賊対策に関しては、例えば、特開２０１２−２０６６７２号公報に開示のものが知られている。
当該特開２０１２-２０６６７２号公報の開示は、発明名称「船舶の侵入防止構造」に係り、「部外者が暴露階段に侵入することを防止できる船舶の侵入防止構造を提供することを目的とする」発明解決課題において（同公報明細書段落番号０００５参照）、「甲板上に設けられた複数階からなる居住区を備える船舶の侵入防止構造であって、居住区の複数階それぞれへのアクセスを可能にする暴露階段を有し、居住区の外側において外部に露出するように設けられた階段部の外部に露出している部分の全部又は一部を、外部に対して閉塞するように固定柵及び開閉柵からなる閉塞部で覆うと共に、階段の下部に接続されたワイヤーをウインチで巻き上げ、階段を踊り場に格納する」構造とすることによって（同公報要約書解決手段の記載参照）、「部外者が暴露階段に侵入することを防止できる船舶の侵入防止構造を提供することが可能となる」との効果を奏するものである（同公報明細書段落番号００１３参照）。
【０００３】
図５は、特開２０１２-２０６６７２号公報に図２として添付された同公報に開示発明の第１実施形態に係る船舶の侵入防止構造を備えた船舶の侵入防止構造の動作前の状態を示す側面図である。図５において、符号１００は、侵入防止構造、１０１は、操舵室、１０２は、居住区、１０３は、階段部、１０４は、閉塞部、１１１は、甲板、１３１ａ、１３１ｂ、１３１ｃ、１３１ｄは、暴露階段、１３２ａ、１３２ｂ、１３２ｃ、１３２ｄは、踊り場、１３３は、ワイヤー（遮断手段）、１３４は、ウインチ（遮断手段）、１４２は、開閉柵、太矢印Ａは、前記開閉柵１４２の回動を、太矢印Ｂは、前記暴露階段１３１ａの回動を示すものである（なお、符号は、先行技術であることを明らかにするために、本願出願人において、３桁に変更して説明した。）。
【０００４】
図５に示される特開２０１２-２０６６７２号公報に開示の「船舶の侵入防止構造」は、「部外者の階段部１０３への侵入時や、部外者による階段部１０３への侵入が警戒される危険海域の航行時に、ウインチ１３４でワイヤー１３３を巻き上げることで階段１３１ａが踊り場１３２ａに格納されると共に、居住区１０２の側壁に固定された開閉柵１４２の固定を解除することで、開閉柵１４２が蝶番に内蔵されたバネのバネ力により自動で回転して踊り場１３２ａ〜１３２ｄ間の側方側及び船尾側の露出部分を塞ぐ」構造のものである（同公報明細書段落番号００２９参照）。
【０００５】
しかしながら、この特開２０１２-２０６６７２号公報に開示の「船舶の侵入防止構造」は、堅固な侵入防止構造とするあまりか、大きく回動する（矢印Ａ）前記開閉柵１４２等を設けなければならず、これが、船舶の居住区１０２のスペースを無駄にしているという問題がある。また、この特開２０１２-２０６６７２号公報に開示の居住区１０２は、４階建て居住区１０２の上に操舵室１０１が配置され、居住区１０２の２〜４階部分の暴露階段１３１ａ、１３１ｂ、１３１ｃ、１３１ｄを前記開閉柵１４２で覆う大がかりな構造のものであり、既存設備に適応はできない等の問題がある。
【先行技術文献】
【特許文献】
【０００６】
【特許文献１】特開２０１２-２０６６７２号公報
【発明の概要】
【発明が解決しようとする課題】
【０００７】
そこで、本願発明者は、前記暴露階段１３１ａ、１３１ｂ、１３１ｃ、１３１ｄの全てに一挙に侵入防止構造とすることは必ずしも効率的ではなく、既存設備にそのような改修を行うことは、大がかりな改修が必要となり適切ではないこと、さらに、居住区がピラー等により一段高い位置に配置される場合には、居住区への暴露階段階段だけについて侵入防止を図れば良いことに着目し、必ずしも特開２０１２-２０６６７２号公報に開示の「船舶の侵入防止構造」のような大がかりなはなく、一段高い位置に配置される居住区の階段については、極めて簡易な改修等によって、容易に船舶居住区への侵入防止を図ることができる船舶の居住区階段構造の提供をせんとするものである。
【課題を解決するための手段】
【０００８】
上記課題を解決するために、本願請求項１に係る発明は、船舶の居住区階段構造において、暴露甲板上に所定長の長さのピラーで支えられて所定の高さに配置され、内部に居住区各階に通行可能な内階段を有する居住区棟と、前記暴露甲板から前記居住区棟へ昇降可能な暴露階段と、当該暴露階段に連なり前記居住区棟への通行を確保する居住区デッキと、当該居住区デッキに裁置され、前記暴露階段上端に配置される回動軸を中心に回動することによって前記暴露階段を上から覆って当該暴露階段の塞ぐ階段カバーと、からなることを特徴とする。
また、本願請求項２に係る発明は、船舶の居住区階段構造において、暴露甲板上に所定長の長さのピラーで支えられて所定の高さに配置され、内部に居住区各階に通行可能な内階段を有する居住区棟と、前記暴露甲板から前記居住区棟へ昇降可能な暴露階段と、一端が前記暴露階段の下端部に接合され、他端が電動機に巻き取り可能に構成される巻き取りワイヤーと、前記電動機を制御する制御器と、からなることを特徴とする。
【発明の効果】
【０００９】
本発明は、上述のとおり構成されているので、次に記載する効果を奏する。
実施例１において、船舶の暴露甲板に海賊が侵入してきたとしても、階段を制御器により一括で上げることが可能となり、海賊の居住区への侵入を防ぐことが可能となる効果を有する。
【図面の簡単な説明】
【００１０】
【図１】図１は、船舶の暴露甲板上に配置される居住区への通路階段の配置を示す概略図。
【図２】図２は、船尾から当該居住区への通路階段を見た概略図。
【図３】図３は、本実施例１に係る船舶の居住区階段構造の前記暴露階段７ａ、７ｂと前記階段カバー９ａ、９ｂの配置及び動作を示す概略図。
【図４】図４は、本実施例２に係る船舶の居住区階段構造の概略を示す図。
【図５】図５は、特開２０１２-２０６６７２号公報に図２として添付された同公報に開示発明の第１実施形態に係る船舶の侵入防止構造を備えた船舶の侵入防止構造の動作前の状態を示す側面図。
【発明を実施するための形態】
【００１１】
本発明に係る船舶の居住区階段構造の一実施例を図面に基づき詳細に説明する。
【実施例１】
【００１２】
図１、図２は、本実施例１に係る船舶の居住区階段構造を示す概略図であり、そのうちの図１は、船舶の暴露甲板上に配置される居住区棟への通路階段の配置を示す概略図であり、図２は、船尾から当該居住区棟への通路階段を見た概略図である。図１、図２において、符号１は、船舶、２は、船側外板、３は、暴露甲板、４は、居住区棟、５は、操舵室、６ａ、６ｂ、６ｃは、前記暴露甲板３上で人の身長を越える高さを持って前記居住区棟を支える所定の長さのピラー、７ａ、７ｂは、前記暴露甲板３から前記居住区棟４への暴露階段、８ａ、８ｂは、それぞれ左舷側及び右舷側手摺り、９ａ、９ｂは、それぞれ前記暴露階段７ａ、７ｂを覆う階段カバーである。
【００１３】
図１に示す前記居住区棟４は、前記ピラー６ａ、６ｂ、６ｃによって一段高く配置され、内部は、４，５層の居住区層が形成され、その上に前記操舵室５が配置され、居住区棟４の各層及び前記操舵室５へは内部に配置される内階段（図示外）で通行できるように配置される。
このように配置される船舶の暴露甲板３と居住区棟４との配置において、不審な者が船舶１に侵入した場合には、前記暴露甲板３と前記居住区棟４の交通を遮断すれば、不審侵入者が居住区棟４や操舵室５に侵入することを避けることができる。
【００１４】
そこで、本実施例１に係る船舶の居住区階段構造においては、前記居住区棟４を前記暴露甲板３から侵入者が容易によじ登れる高さではない一段高い位置に前記ピラー６ａ、６ｂ、６ｃにより位置する居住区棟４とし、その上で、少なくとも前記暴露甲板３と居住区棟４との間を通行する前記暴露階段７ａ、７ｂの通行を簡易な方法により遮断できるようにしたものである。
【００１５】
図３は、本実施例１に係る船舶の居住区階段構造の前記暴露階段７ａ、７ｂと前記階段カバー９ａ、９ｂの配置及び動作を示す概略図であり、一方の暴露階段７及び階段カバー９として示している。なお、図３において、符号１０は、前記居住区棟４の入口（図示外）に連なる居住区デッキであり、１１は、前記階段カバー９が前記暴露階段７の上端に回動可能に軸支され、矢印Ｃ方向に回動するように構成される回動軸である。
【００１６】
図２に示すように、前記階段カバー９は、通常、前記居住区デッキ１０上に折り重ねられて裁置され、不審者が当該階段７を通じて侵入を試みるような場合には、同階段カバー９を前記回動軸１１を中心として回動させて、前記暴露階段７の上側（階段側）を塞いで侵入者が昇降できないようにするものである。
【００１７】
このように本実施例１に係る本実施例１に係る船舶の居住区階段構造は、船舶居住区棟４を暴露甲板３より一段高く配置し、その居住区棟４に連なる暴露階段７について、普段は、居住区棟４の両側に配置される居住区デッキ１０上に折りたたんで裁置し、不審者が侵入するの場合には前記階段カバー９を回動させて、前記暴露階段７の上を塞いで侵入者が昇降できないようにするものである。したがって、例え、侵入者が暴露甲板３まで到達したとしても船員居住区棟４内への侵入を防ぐことができ、船員等への身体への危害や金品の強奪を防止し、人名の安全等を図ることができるものである。
【００１８】
そして、本実施例１に係る船舶の居住区階段構造は、居住区棟４への暴露階段７のみについて、前記階段カバー９付きの暴露階段７に変更するだけで、大がかりな装備とすることもなく、きわめて容易に前記居住区棟４へ通行する前記暴露階段７の改修が可能であり、改修容易であることに比し、そのよって奏することができる不審者侵入防止の効果は大きい。
【実施例２】
【００１９】
次に、本発明の実施例２に係る船舶の居住区階段構造の実施例２についても図面に基づき説明する。
【００２０】
図４は、本実施例２に係る船舶の居住区階段構造の概略を示す図であり、図４において、３は、前記暴露甲板、７は、前記暴露階段、１０は、前記居住区デッキであり、１２は、電動機であり、居住区棟４の側弦突出部等に配置される。また、１３ａ、１３ｂは、巻き上げワイヤー、１４ａ、１４ｂは、支持棒であり、前記巻き上げワイヤー１３ａ、１３ｂは、一端が前記暴露階段７の両下端部に接合され、他端は、前記支持棒１４ａ、１４ｂを介して前記電動機１２に巻き取り可能に構成され、電動機１２が駆動されることによって、前記暴露階段７の下端が前記暴露甲板３から離れるものである。すなわち、本実施例２に係る船舶の居住区階段構造は、図４に示すように、前記暴露甲板３から前記居住区棟４にアクセスするための前記暴露階段７を電動駆動による跳ね上げ式として、前記操舵室５に設けた制御器（図示外）によって、前記電動機１２を駆動させることにより前記暴露階段７の上げ下げを可能とした船舶の階段構造としたものである。
【００２１】
なお、本実施例２に係る船舶の居住区階段構造おいては、前記電動機１２を前記居住区の側弦突出部に配置するようにしたが、滑車（図示外）を用いて、前記巻き上げワイヤー１３ａ、１３ｂが巻き上げ可能であれば居住区側弦突出部に限らない。
【産業上の利用可能性】
【００２２】
本発明は、居住区への不審者侵入を防止する船舶の居住区階段構造に利用される。
【符号の説明】
【００２３】
１ 船舶
２ 船側外板
３ 暴露甲板
４ 居住区
５ 操舵室
６ａ、６ｂ、６ｃ ピラー
７、７ａ、７ｂ 暴露階段
９、９ａ、９ｂ 階段カバー
１０ 居住区デッキ
１１ 回動軸
１２ 電動機
１３ａ、１３ｂ ワイヤー
１４ａ、１４ｂ 支持棒
１０１ 操舵室
１０２ 居住区
１０３ 階段部
１３１ａ 前記暴露階段
１３１ａ〜１３１ｄ 暴露階段
１３２ａ〜１３２ｄ 踊り場
１３３ ワイヤー
１３４ ウインチ
１４２ 開閉柵
Ａ、Ｂ、Ｃ 回動方向
【図１】
2018131117.tif 000003
【図２】
2018131117.tif 000004
【図３】
2018131117.tif 000005
【図４】
2018131117.tif 000006
【図５】
2018131117.tif 000007
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
暴露甲板上に所定長の長さのピラーで支えられて所定の高さに配置され、内部に居住区各階に通行可能な内階段を有する居住区棟と、
前記暴露甲板から前記居住区棟へ昇降可能な暴露階段と、
当該暴露階段に連なり前記居住区棟への通行を確保する居住区デッキと、
当該居住区デッキに裁置され、前記暴露階段上端に配置される回動軸を中心に回動することによって前記暴露階段を上から覆って当該暴露階段を塞ぐ階段カバーと、
からなることを特徴とする船舶の居住区階段構造。
【請求項２】
暴露甲板上に所定長の長さのピラーで支えられて所定の高さに配置され、内部に居住区各階に通行可能な内階段を有する居住区棟と、
前記暴露甲板から前記居住区棟へ昇降可能な暴露階段と、
一端が前記暴露階段の下端部に接合され、他端が電動機に巻き取り可能に構成される巻き取りワイヤーと、
前記電動機を制御する制御器と、
からなることを特徴とする請求項１に記載の船舶の居住区階段構造。
【手続補正２】
【補正対象書類名】明細書
【補正対象項目名】０００８
【補正方法】変更
【補正の内容】
【０００８】
上記課題を解決するために、本願請求項１に係る発明は、船舶の居住区階段構造において、暴露甲板上に所定長の長さのピラーで支えられて所定の高さに配置され、内部に居住区各階に通行可能な内階段を有する居住区棟と、前記暴露甲板から前記居住区棟へ昇降可能な暴露階段と、当該暴露階段に連なり前記居住区棟への通行を確保する居住区デッキと、当該居住区デッキに裁置され、前記暴露階段上端に配置される回動軸を中心に回動することによって前記暴露階段を上から覆って当該暴露階段を塞ぐ階段カバーと、からなることを特徴とする。
また、本願請求項２に係る発明は、前記請求項１に記載の船舶の居住区階段構造において、暴露甲板上に所定長の長さのピラーで支えられて所定の高さに配置され、内部に居住区各階に通行可能な内階段を有する居住区棟と、前記暴露甲板から前記居住区棟へ昇降可能な暴露階段と、一端が前記暴露階段の下端部に接合され、他端が電動機に巻き取り可能に構成される巻き取りワイヤーと、前記電動機を制御する制御器と、からなることを特徴とする。